(57)【要約】【課題】  種々の土木建築工事において、土壌を掘削することは多い。掘削した土壌は、廃棄しなければならないが、現在では処分場も非常に減少してきている。また処分することなくできるだけ再利用して、新しい土壌の掘削等を減らしたいという要望もある。そこで、掘削土壌を、その土質に関係なく簡単に選別でき、またある程度の力で固着したものは分離もできる土壌選別装置を提供する。【解決手段】  ホッパー、メッシュ筒状体、受容部からなるものであって、該メッシュ筒状体は回転駆動され、且つ該メッシュ筒状体には回転駆動される回転軸が設けられ、該回転軸には攪拌具が多数取り付けられているもの。【選択図】  図１
2007038112.tif 000002
【特許請求の範囲】
【請求項１】
ホッパー、メッシュ筒状体、受容部からなるものであって、該メッシュ筒状体は回転駆動され、且つ該メッシュ筒状体には回転駆動される回転軸が設けられ、該回転軸には攪拌具が多数取り付けられていることを特徴とする土壌選別装置。
【請求項２】
該メッシュ筒状体の最後部端部は開放されているものである請求項１記載の土壌選別装置。
【請求項３】
該受容部は、該メッシュ筒状体の下方に設置したベルトコンベアである請求項１又は２記載の土壌選別装置。
【発明の詳細な説明】
【技術分野】
【０００１】
本発明は、土壌選別装置に関するものである。
【背景技術】
【０００２】
種々の土木建築工事において、土壌を掘削することは多い。その土壌をそのまま再利用することができる場合には問題はないが、そうでない土壌も多い。例えば、掘削した土壌が種々の理由でそのまま埋め戻すことができない場合等である。
【０００３】
このような場合、廃棄しなければならないが、現在では処分場も非常に減少してきている。また処分することなくできるだけ再利用して、新しい土壌の掘削等を減らしたいという要望もある。
【０００４】
よって、掘削した土壌をできるだけ再利用することが望ましい。この再利用には、土壌に含まれている不要なものを除去するだけでよい場合もある。例えば、植物の根や礫、ゴミ等の除去である。植物が生えていた場所は、非常に多くの根が含まれているため、そのまま利用することができない。よって、その根等を除去するのである。
【０００５】
このような根は篩を用いて手で簡単に除去できるが、手作業では大量の処理することは不可能である。
また、大きな篩で自動的に振動するような装置も考えられるが、それでは少しでも固着しているものははずれないため選別効率が非常に悪い。
【発明の開示】
【発明が解決しようとする課題】
【０００６】
そこで、掘削土壌を、その土質に関係なく簡単に選別でき、またある程度の力で固着したものは分離もできる土壌選別装置を提供する。
【課題を解決するための手段】
【０００７】
以上のような状況に鑑み、本発明者は鋭意研究の結果本発明土壌選別装置を完成したものであり、その特徴とするところは、ホッパー、メッシュ筒状体、受容部からなるものであって、該メッシュ筒状体は回転駆動され、且つ該メッシュ筒状体には回転駆動される回転軸が設けられ、該回転軸には攪拌具が多数取り付けられている点にある。
【０００８】
ここでいう土壌は、どのような土壌でもよく、通常は土壌に植物の根やゴミ、建築廃材その他のものが混入したものである。
しかし、このような土壌以外のものを含んでいない土壌でもよい。このような場合でもその骨材を選別する等の使用ができる。
【０００９】
ここで、ホッパーとは、土壌等を投入するための部分であり、通常は大きな入口とある程度の貯蔵容量を有したものである。このホッパーには連続投入できるように蓋のない開放タイプと、その都度閉止する蓋付きタイプがある。傾斜した底板を設けて土壌が直接メッシュに落下しないようにしてもよい。
【００１０】
メッシュ筒状体とは、本発明装置の本体部であり、メッシュで構成された筒である。ここでいうメッシュとは、単に多数の孔があるという意味であり、網状のものでも、織ったものでも、板に多数の孔を設けたものでも、エキスパンドメタル等どのようなものでもよい。また、全体は１体のものでも、複数に分割できるものでもよい。
この孔のサイズは、１ｍｍ〜１００ｍｍ程度（好ましくは、５〜４０ｍｍ）であり、除去するもののサイズによって決めればよい。植物の根を除去する場合、２０ｍｍの孔サイズで良好に分別できた。より厳密に分別するためには、もっと小さくてもよい。
【００１１】
この孔のサイズは筒状全体として一定でも、変化させてもよい。例えば、上流側半分は２０ｍｍの孔にして、残りを２ｍｍにする等である。
【００１２】
このメッシュ筒状体は、その先端（最下流）には、蓋体を設けても、完全開放でもよい。開放の場合には、大きいものがその端部から落下できるため、連続運転には好適である。また先端の蓋部は、メッシュでもよく、開閉可能にしてもよい。
【００１３】
また、内側に跳ね上げ板を設けてもよい。これは、下方に溜まる土壌等を上部に上げて再度攪拌具に効率よく接触させるためである。この跳ね上げ板は、１枚でも複数枚でも、またどのように設けてもよい。
【００１４】
メッシュ筒状体は、回転させるための駆動源を有している。これはモーター等の通常のものでよい。回転させる理由は、後述する攪拌を効率よく行うためと、メッシュの孔が詰まらないようにすること、落下が容易なように等のためである。また、内容物の前進を助けるためでもある。回転速度は自由であるが、一般にはゆっくりでよく、数回〜数十回／分程度で十分である。回転速度は、インバーターを用いる等によって調整できるようにするのがよい。
【００１５】
また、前進をより容易にするため、メッシュ筒状体を下流側を低くするよう傾斜をもたせてもよい。傾斜角度としては、自由であるが、１〜１５度程度が好適である。また、この傾斜角度も手動又は自動で調整できるようにしてもよい。
投入する土壌によって、角度を変えて効率よくするのである。
【００１６】
このメッシュ筒状体は目が細かくなるとどうしても目詰まりすることが多い。よって、これを防止するため、メッシュの外側にブラシのような清掃具を接して設けておくこともできる。大きさや数は自由である。このようにすれば、メッシュ筒状体の回転によって自動的に清掃される。
また、同様の目的で、メッシュ筒状体を振動させてもよい。更に、時々衝撃を加える方法や、他の部材で表面を打撃する方法でもよい。
【００１７】
受容部とは、メッシュ筒状体の孔から排出、落下したものを受容する部分であり、単なる受け容器でもよい。また、後述する全体を覆うカバーのようなものもこれに含まれる。更に、ベルトコンベアのようなものでもよい。
メッシュからの排出物が細かい場合、どうしても浮遊することが多い。このような場合には、作業環境も考慮して、メッシュ筒状体の周囲をカバーして、吸引してサイクロン集塵器のようなものや、バグフィルターのようなもので集める方が簡単である。また、そのような場合でも、大きいものはそのカバー内で下方に落下させておき、別途集めてもよい。
カバーを用いる場合には、上記した端部は閉止するか、メッシュ構造にする方がよい。
【００１８】
また、前記したようにメッシュ筒状体の先端（最下流）が開放の場合には、そこから落下するものを受ける受部も設けてもよい。勿論、地面等にそのまま落としてもよい。
【００１９】
このような落下物や排出物の集め方は、排出したもののサイズや用途によって決めればよく、特に限定はしない。
【００２０】
上記メッシュ筒状体の中に回転軸を設け、その回転軸には攪拌具が多数取り付けられている。この攪拌具の形状は特に限定はしない。単なる棒状、板状、湾曲板状等である。材質としては、選別するものによるが、ゴムのように柔らかいものでできるだけ破砕を行なわず「ほぐす」作業に重点をおいたものや、ある程度の破砕も考えた鋼材でもよい。また、より硬度のあるものを用いてもよい。
要するに材質は何でもよいということである。上記した通り、ここでいう攪拌は破砕を含めたものである。即ち、攪拌具によって破砕を行なってもよいということである。
攪拌具の取り付け位置としては、回転軸の入口から等距離でオリエンテーションが異なる位置に複数設けても、等距離には１本だけにしてもよい。等距離に複数設けるとは、０度、９０度、１８０度、２７０度の４箇所に設ける等である。
また、スパイラル状に配置してネジ山のような構造にしてもよい。
攪拌具はすべて同じ構造、同じサイズである必要はなく、ランダムに異なるものを設けても、順次変化させてもよい。
【００２１】
この攪拌具の固定は、軸に直接溶接してもよいが、破損した場合に交換が容易なようにボルト止めが好適である。
また、攪拌具の数や密度、その取り付け位置等は自由である。全体として一様でも、変化させてもよい。例えば、スパイラル状に幅の小さい板状体を全体に取り付ける等である。また、まったくのランダムに刃を固定する方法もある。
更に、攪拌具は最初は間隔を開けて、徐々にその間隔を狭くしている方法もある。
【００２２】
この攪拌具を固定する回転軸は、回転駆動源によって回転するもので、その回転速度は自由である。しかし、これもメッシュ筒状体同様、数回〜百数十回／分程度で十分である。回転速度も、インバーターを用いる等によって調整できるようにするのがよい。回転方向は、回転軸もメッシュ筒状体も自由である。
【００２３】
この回転軸は、前記したメッシュ筒状体と連動して回転しても、まったく同様に回転してもよい。即ち、同じ駆動源を使用するのである。このようにすれば、装置が簡単、安価になる。
【００２４】
本発明装置は、前記した必須要素以外に、本発明の趣旨を逸脱しない限り何を設けてもよい。例えば、回転速度計、自走装置その他である。
【発明の効果】
【００２５】
本発明土壌選別装置には次のような効果がある。
（１）  装置自体が非常に簡単で安価である。
（２）  土質を選ばず、どのような土壌でも使用できる。
（３）  含まれるものをそのサイズによって簡単に選別できる。
（４）  メッシュのサイズを変えることによって、種々のものの選別が可能となる。
【発明を実施するための最良の形態】
【００２６】
以下実施例に基づいて、本発明をより詳細に説明する。
【実施例１】
【００２７】
実施例１
図１は、本発明土壌選別装置１の１例を示す概略断面図である。傾斜させた（約１０度）メッシュ筒状体２の上流端部にホッパー３が設けられている。メッシュ筒状体２は、全周が２０ｍｍφメッシュで構成されている。即ち、２０ｍｍφ以下の混入物は下方から受容部４に落下するのである。この例のメッシュ筒状体２の先端部５は開放である。投入した土壌は攪拌されてほぐされてメッシュから落下する。落下しないのは、２０ｍｍ以上の骨材、植物の根、その他のゴミ等である。これらは、上記した先端開放部から、受容器６に排出落下する。
【００２８】
このメッシュ筒状体２は、駆動装置（モーター）７によって回転駆動される。
これは投入物の量やサイズ等によって速度調節できるようにしている。
メッシュ筒状体２の中心部に攪拌具８用の回転軸９が設けられている。この回転軸９は、同様に駆動装置１０で回転駆動される。この図では、攪拌具８が異なるように見えるが、実際にはすべて同じ長さである。オリエンテーションが順次変わっているため、そのように見えるだけである。
【００２９】
図２は、メッシュ筒状体２に跳ね上げ板１１を設けた例である。この図はメッシュ筒状体２を長手方向から見たところで、攪拌具８は１本のみ描いている。この例では、跳ね上げ板１１は９０度づつ間隔をおいて４枚設けられている。この板の長手方向の長さはメッシュ筒状体２とほぼ同じである。枚数は特に限定するものではない。勿論、より短いものを多数設けてもよく、また位置はランダムでも、スパイラル状でも、その他どのような位置でもよい。また、この例では、メッシュの清掃用のブラシ１２も設けている。
【００３０】
図３は、図２の例の横断面図である。跳ね上げ板１１が長手方向に長い板であることが分かる。また、攪拌具８は一部のみ示している。勿論、跳ね上げ板の幅を大きくして、攪拌具の部分のみ切り欠いてもよい。
【００３１】
図４は、攪拌具の１例を示すもので、図４（ａ）は側面図、（ｂ）は正面図である。この例では、日本刀のように湾曲した形状であり、材質は通常の鋼材である。図５の例は下方が大きくなり、２本のボルトで固定できるようになっている。回転方向は矢印の方向である。
【００３２】
図６は、攪拌具８の固定方法を示す。（ａ）は側面図、（ｂ）は正面図である。回転軸９に固着された固定板１３にボルト１４で固定されている。
【図面の簡単な説明】
【００３３】
【図１】本発明の土壌選別装置の１例を示す概略断面図である。
【図２】メッシュ筒状体２を長手方向から見た断面図である。
【図３】メッシュ筒状体２を側面の断面図である。
【図４】攪拌具の１例を示すもので、（ａ）は側面図、（ｂ）は正面図である。
【図５】攪拌具の他の例を示す側面図である。
【図６】攪拌具の固定状態を示すもので、（ａ）は側面図、（ｂ）は正面図である。
【符号の説明】
【００３４】
１  土壌選別装置
２  メッシュ筒状体
３  ホッパー
４  受容部
５  先端部
６  受容器
７  駆動装置（モーター）
８  攪拌具
９  回転軸
１０  駆動装置
１１  跳ね上げ板
１２  ブラシ
１３  固定板
１４  ボルト
【図１】
2007038112.tif 000003
【図２】
2007038112.tif 000004
【図３】
2007038112.tif 000005
【図４】
2007038112.tif 000006
【図５】
2007038112.tif 000007
【図６】
2007038112.tif 000008